(57)【要約】【課題】搬送ジャムの抑制を図ることができる画像処理装置を提供することである。【解決手段】実施形態の画像処理装置は、収容部と、押さえ部材と、切り換え機構と、制御部とを持つ。収容部は、シートを収容する。押さえ部材は、少なくともシート搬送方向におけるシートの下流側の端部を、シート厚さ方向に押さえ込み可能とされている。切り換え機構は、シートの下流側の端部が押さえ部材によって設定値以上の力で押さえ込まれる押え込み状態と、押え込み状態が解除された解除状態のいずれかの状態に切り換え可能とされる。制御部は、プリンタ部へ向けて収容部からシートが供給されない場合に、押さえ込み状態にするように切り換え機構を制御する。【選択図】図３
2018123001.tif 000002
【特許請求の範囲】
【請求項１】
シートを収容する収容部と、
少なくともシート搬送方向における前記シートの下流側の端部を、シート厚さ方向に押さえ込み可能な押さえ部材と、
前記シートの下流側の端部が前記押さえ部材によって設定値以上の力で押さえ込まれる押え込み状態と、前記押え込み状態が解除された解除状態のいずれかの状態に切り換え可能な切り換え機構と、
プリンタ部へ向けて前記収容部からシートが供給されない場合に、前記押さえ込み状態にするように前記切り換え機構を制御する制御部と、
を備えた画像処理装置。
【請求項２】
前記押さえ部材は、前記複数のシートの前記下流側の端部に加え、前記シート搬送方向と略平行な前記複数のシートの両側部の各々の少なくとも一部を、前記シート厚さ方向に押さえ込み可能とされている、
請求項１に記載の画像処理装置。
【請求項３】
前記収容部に収容されたシートを送るピックアップローラをさらに備え、
前記押さえ部材は、前記ピックアップローラの一部よりも前記シート搬送方向の下流側に位置した部分を含む、
請求項１または請求項２に記載の画像処理装置。
【請求項４】
前記切り換え機構は、前記押さえ部材を、前記シートを押さえる押さえ位置と、前記シートから離れる離間位置との間で移動させる駆動機構によって構成され、
前記制御部は、プリンタ部に向けて前記収容部からシートが供給されない場合に、前記押さえ部材を前記押さえ位置に移動させるように前記駆動機構を制御する、
請求項１から請求項３のいずれか１項に記載の画像処理装置。
【請求項５】
前記収容部に配置されて、前記複数のシートの少なくとも下流側の領域が載置されるシート支持部材と、
前記シート支持部材を上方に押し上げ可能な押し上げ機構と、をさらに備え、
前記押し上げ機構による前記シート支持部材の押し上げによって最上部の前記シートが前記押さえ部材に当接可能とされるとともに、前記押し上げ機構の押し上げ荷重の操作によって前記複数のシートに対する押さえ込み荷重を調整可能とされている、
請求項１から請求項４のいずれか１項に記載の画像処理装置。
【発明の詳細な説明】
【技術分野】
【０００１】
本発明の実施形態は、画像処理装置に関する。
【背景技術】
【０００２】
画像処理装置で使用されるシートは、温度または湿度が管理されていない環境で長時間放置されるとカールがつくことがある。また、リユース紙は、すでにカールがついていることがある。
カールがついているシートが使用されると、搬送ジャムが生じる場合がある。
【先行技術文献】
【特許文献】
【０００３】
【特許文献１】特開２０１６−１６７０３５号公報
【発明の概要】
【発明が解決しようとする課題】
【０００４】
本発明が解決しようとする課題は、搬送ジャムの抑制を図ることができる画像処理装置を提供することである。
【課題を解決するための手段】
【０００５】
実施形態の画像処理装置は、収容部と、押さえ部材と、切り換え機構と、制御部とを持つ。収容部は、シートを収容する。押さえ部材は、少なくともシート搬送方向におけるシートの下流側の端部を、シート厚さ方向に押さえ込み可能とされている。切り換え機構は、シートの下流側の端部が押さえ部材によって設定値以上の力で押さえ込まれる押え込み状態と、押え込み状態が解除された解除状態のいずれかの状態に切り換え可能とされる。制御部は、プリンタ部へ向けて収容部からシートが供給されない場合に、押さえ込み状態にするように切り換え機構を制御する。
【図面の簡単な説明】
【０００６】
【図１】第１実施形態の画像処理装置の全体構成を示す正面図。
【図２】第１実施形態の画像処理装置のシステム構成を示すブロック図。
【図３】第１実施形態の給紙ユニットを示す断面図。
【図４】第１実施形態の押さえ部材を示す平面図。
【図５】第１実施形態の押さえ部材および押さえ部材駆動機構を示す断面図。
【図６】第１実施形態の制御部の処理流れの一例を示すフローチャート。
【図７】第１実施形態の制御部の処理流れの別の一例を示すフローチャート。
【図８】実施形態の第１変形例の給紙ユニットを示す断面図。
【図９】実施形態の第２変形例の押さえ部材を示す平面図。
【図１０】実施形態の第３変形例の押さえ部材を示す平面図。
【図１１】第２実施形態の給紙ユニットを示す断面図。
【図１２】実施形態の第４変形例の押さえ部材を示す平面図。
【図１３】実施形態の第４変形例の給紙ユニットを示す断面図。
【発明を実施するための形態】
【０００７】
以下、実施形態の画像処理装置を、図面を参照して説明する。なお以下の説明では、同一または類似の機能を有する構成に同一の符号を付す。そして、それらの構成の重複する説明は省略する場合がある。
【０００８】
（第１実施形態）
図１は、第１実施形態の画像処理装置１の全体構成を示す正面図である。例えば、画像処理装置１は、複合機（ＭＦＰ：Multi Function Peripheral）である。ただし、画像処理装置１は、上記例に限らず、複写機またはプリンタなどでもよい。本実施形態の画像処理装置１は、後述するような消色機能を有する（消去処理を行う）。このため、画像処理装置１は、「消色装置」の一例でもある。
【０００９】
図１に示すように、画像処理装置１は、筐体１１、スキャナ部１２、給紙部１３、プリンタ部１４、排紙部１５、コントロールパネル１６、および制御部１７を備えている。
【００１０】
筐体１１は、画像処理装置１の外郭を形成している。筐体１１は、スキャナ部１２、給紙部１３、プリンタ部１４、および制御部１７を収容している。
スキャナ部１２は、原稿の画像情報をデジタルデータとして読み取る。
給紙部１３は、プリンタ部１４へ向けてシートＳを供給する。
プリンタ部１４は、画像データに基づいて、シートＳに画像を形成する。
排紙部１５は、プリンタ部１４によって画像が形成されたシートＳが排出される。
コントロールパネル１６は、各種の操作指示の入力を受け付ける。
制御部１７は、画像処理装置１の全体を制御する。例えば、制御部１７は、スキャナ部１２、給紙部１３、プリンタ部１４、およびコントロールパネル１６の動作を制御する。
【００１１】
次に、画像処理装置１の各部構成について説明する。
まず、プリンタ部１４について説明する。
本実施形態では、説明の便宜上、中間転写方式のプリンタ部１４を例に取り上げて説明する。ただし、本実施形態の構成は、直接転写方式のプリンタ部を有した画像処理装置にも適用可能である。プリンタ部１４は、中間転写部（一次転写部）２１、二次転写部２２、定着器２３、第１搬送路２４、および第２搬送路（反転パス）２５を有する。
【００１２】
中間転写部２１は、中間転写ベルト３１、複数のローラ３２ａ，３２ｂ，３２ｃ，３２ｄ、および複数の画像形成部３３Ｙ，３３Ｍ，３３Ｃ，３３Ｋ，３３Ｅを有する。
【００１３】
中間転写ベルト３１は、無端状に形成されている。複数のローラ３２ａ，３２ｂ，３２ｃ，３２ｄは、中間転写ベルト３１を支持する。これにより、中間転写ベルト３１は、図１中の矢印ｍで示す方向に、無端走行可能である。
【００１４】
複数の画像形成部３３Ｙ，３３Ｍ，３３Ｃ，３３Ｋ，３３Ｅは、イエロー画像形成部３３Ｙ、マゼンタ画像形成部３３Ｍ、シアン画像形成部３３Ｃ、ブラック画像形成部３３Ｋ、および消色性画像形成部３３Ｅを含む。画像形成部３３Ｙ，３３Ｍ，３３Ｃ，３３Ｋ，３３Ｅの各々は、感光体ドラム３３ａ、帯電チャージャ３３ｂ、露光ユニット３３ｃ、現像器３３ｄ、および転写ローラ３３ｅを含む。各画像形成部３３Ｙ，３３Ｍ，３３Ｃ，３３Ｋ，３３Ｅは、感光体ドラム３３ａの表面に形成されたトナー像を中間転写ベルト３１に転写（一次転写）する。各画像形成部３３Ｙ，３３Ｍ，３３Ｃ，３３Ｋ，３３Ｅの構成は、記録剤（トナー）の色が異なる以外、互いに略同じである。
【００１５】
ここで、本実施形態の画像処理装置１は、消色性画像形成部３３Ｅを含む。消色性画像形成部３３Ｅは、消色性のトナーを用いて形成されたトナー像を中間転写ベルト３１に転写する。消色性のトナーは、外部からエネルギーが加えられることで消色する機能を持つ。例えば、消色性のトナーは、外部からのエネルギーとして、温度、特定波長の光、圧力などの外的刺激が加えられることで消色される。本実施形態における「消色」とは、シートの下地の色とは異なる色（有彩色のみならず白色および黒色などの無彩色を含む）で形成された画像が視覚的に見えなくなることを意味する。
【００１６】
二次転写部２２は、転写ローラ２２ａを有する。転写ローラ２２ａは、中間転写ベルト３１の外面に接する。中間転写ベルト３１を支持する一つのベルトローラ３２ａは、二次転写部２２の構成要素に含まれる。シートＳは、中間転写ベルト３１とともに、転写ローラ２２ａとベルトローラ３２ａとの間に挟まれる。これにより、中間転写ベルト３１上のトナー像がシートＳに転写（二次転写）される。
【００１７】
定着器２３は、ヒートローラ２３ａと、プレスローラ２３ｂとを有する。ヒートローラ２３ａは、制御部１７によって、トナー像の定着に適した定着温度に制御される。プレスローラ２３ｂは、ヒートローラ２３ａとは反対側からシートＳに面する。定着器２３は、ヒートローラ２３ａとプレスローラ２３ｂとの間を通るシートＳを加熱および加圧する。これにより、シートＳに転写されたトナー像がシートＳに定着する。
【００１８】
本実施形態の画像処理装置１は、消色性のトナーによって印刷されたシートＳの画像を見えなくする消色機能を持つ。制御部１７は、シートＳの画像を消色する消色モードに画像処理装置１が移行した場合、上記定着温度よりも高温の消色温度にヒートローラ２３ａが加熱されるように定着器２３を制御する。消色温度は、定着器２３を通過するシートＳに所定以上のエネルギーを加えることで、消色性のトナーで印刷された画像が見えなくなる温度である。定着器２３は、ヒートローラ２３ａとプレスローラ２３ｂとの間を通るシートＳを加熱することで、シートＳにエネルギーを加える。これにより、消色性のトナーによって形成された画像を消色することができる。
【００１９】
第１搬送路２４は、給紙部１３から二次転写部２２および定着器２３を通り排紙部１５に至る。シートＳは、第１搬送路２４を搬送されることで、給紙部１３から二次転写部２２および定着器２３を通り排紙部１５に移動する。一方で、第２搬送路２５は、シートＳの両面印刷時にシートＳが搬送される。
【００２０】
次に、コントロールパネル１６について説明する。
コントロールパネル１６は、表示部１６ａと、入力受付部１６ｂとを有する。表示部１６ａは、表示画面Ｄを含む。表示画面Ｄには、各種情報が表示される。入力受付部１６ｂは、複数のボタンを含む。入力受付部１６ｂは、各種の操作指示の入力を受け付ける。ただし、入力受付部１６ｂは、表示画面Ｄに設けられたタッチパネル（タッチセンサ）により実現されてもよい。
【００２１】
次に、制御部１７について説明する。
図２は、画像処理装置１のシステム構成を示すブロック図である。
図２に示すように、制御部１７は、ケーブルなどの電気接続経路を介して、スキャナ部１２、給紙部１３、プリンタ部１４、およびコントロールパネル１６と電気的に接続されている。
制御部１７の一部または全部は、例えば、画像処理装置１のメモリに記憶されたプログラム（ソフトウェアコンポーネント）がＣＰＵ（Central Processing Unit）のようなプロセッサ（ハードウェアプロセッサ）によって実行されることで実現されるソフトウェア機能部である。ただし、制御部１７の一部または全部は、例えば、ＬＳＩ(Large Scale Integration)、ＡＳＩＣ(Application Specific Integrated Circuit)、またはＦＰＧＡ（Field-Programmable Gate Array）のようなハードウェアによって実現されてもよく、あるいはソフトウェア機能部とハードウェアとの組み合わせによって実現されてもよい。
【００２２】
次に、給紙部１３について説明する。
図１に示すように、画像処理装置１の給紙部１３は、複数の給紙ユニット４０Ａ，４０Ｂ，４０Ｃを含む。複数の給紙ユニット４０Ａ，４０Ｂ，４０Ｃは、互いに独立してそれぞれ複数のシートＳを収容可能である。複数の給紙ユニット４０Ａ，４０Ｂ，４０Ｃは、互いに略同じ構成を有する。このため、以下の説明では、複数の給紙ユニット４０Ａ，４０Ｂ，４０Ｃを互いに区別する必要がない場合は、単に給紙ユニット４０と称する。本実施形態では、各給紙ユニット４０Ａ，４０Ｂ，４０Ｃは、後述する押さえ部材４６および押さえ部材駆動機構４７（切り換え機構）を有する。ただし、押さえ部材４６および押さえ部材駆動機構４７は、全ての給紙ユニット４０Ａ，４０Ｂ，４０Ｃに設けられる必要はない。例えば、押さえ部材４６および押さえ部材駆動機構４７は、複数の給紙ユニット４０Ａ，４０Ｂ，４０Ｃのなかで、少なくとも１つの給紙ユニット４０に設けられればよい。
【００２３】
図３は、１つの給紙ユニット４０を拡大して示す断面図である。
図３に示すように、給紙ユニット４０は、給紙カセット４１、給紙ローラ４２、分離ローラ４３、ピックアップローラ４４、ピックアップローラ駆動機構４５、押さえ部材４６、押さえ部材駆動機構４７（図５参照）、およびシートセンサ４８（図２参照）を有する。
【００２４】
給紙カセット４１は、「収容部」の一例である。給紙カセット４１は、底壁４１ａと、底壁４１ａの周端部から起立した側壁４１ｂとを有することで、上方が開放された凹状に形成されている。給紙カセット４１は、筐体１１に対して引き出し可能に取り付けられる。給紙カセット４１には、複数のシートＳが収容される。例えば、給紙カセット４１には、リユース紙が収容される。リユース紙の一例は、消色性のトナーによって形成された画像が消色されたシートである。
【００２５】
給紙ローラ４２および分離ローラ４３は、給紙カセット４１から搬送されるシートＳの搬送方向Ｘ（以下、単に「シート搬送方向Ｘ」と称する）において、給紙カセット４１よりも下流側に配置されている。給紙ローラ４２および分離ローラ４３の各々は、図示しないモータによって駆動される。給紙ローラ４２は、給紙カセット４１から供給されるシートＳを第１搬送路２４に送る。分離ローラ４３は、給紙カセット４１から２枚のシートＳが搬送されようとした場合、２枚のシートＳのうち下方のシートＳを給紙カセット４１に戻す。
【００２６】
ピックアップローラ４４は、給紙カセット４１の上方に配置されている。ピックアップローラ４４は、給紙ローラ４２よりもシート搬送方向Ｘの上流側に位置する。ピックアップローラ４４は、給紙カセット４１に収容された複数のシートＳのうち最上位のシートＳに上方から接する。ピックアップローラ４４は、ピックアップローラ駆動モータ４９（図２参照）によって駆動される。ピックアップローラ４４は、給紙カセット４１に収容された複数のシートＳのうち最上位のシートＳを給紙ローラ４２に向けて送る。
【００２７】
ピックアップローラ駆動機構４５は、筐体１１から給紙カセット４１が引き出される場合、ピックアップローラ４４を上方に退避させる。一方で、ピックアップローラ駆動機構４５は、筐体１１に対して給紙カセット４１が閉じられた場合、ピックアップローラ４４を最上位のシートＳに向けて降ろす。
【００２８】
押さえ部材４６は、シートＳのカールを伸ばすための部材である。押さえ部材４６は、給紙カセット４１に収容された複数のシートＳの上に載せられ、複数のシートＳをシート厚さ方向（シート積載方向）Ｚに押さえる。例えば、押さえ部材４６は、この押さえ部材４６の自重によって複数のシートＳをシート厚さ方向Ｚに押さえる重しである。
【００２９】
図３に示すように、押さえ部材４６は、少なくとも、シート搬送方向Ｘにおける複数のシートＳの下流側の端部Ｓａを、シート厚さ方向Ｚに押さえる。例えば、押さえ部材４６は、ピックアップローラ４４の少なくとも一部よりもシート搬送方向Ｘの下流側に位置した部分（端部４６ａ，４６ｂ）を含む。押さえ部材４６は、ピックアップローラ４４の少なくとも一部よりもシート搬送方向Ｘの下流側の位置で複数のシートＳをシート厚さ方向Ｚに押さえる。例えば、押さえ部材４６は、シート搬送方向Ｘの下流側に位置する複数のシートＳの先端Ｓａｅをシート厚さ方向Ｚに押さえる。
【００３０】
図４は、押さえ部材４６を示す平面図である。
図４に示すように、本実施形態の押さえ部材４６は、シートＳの上面に沿う板状に形成されている。例えば、押さえ部材４６は、シート搬送方向Ｘにおいて複数のシートＳの下流側の略半分を覆う大きさを有する。また、押さえ部材４６は、シート搬送方向Ｘとは略直交する方向Ｙ（以下、「シート幅方向Ｙ」と称する）において複数のシートＳの両側部（両端部）Ｓｂ，Ｓｃに亘る幅を持つ。押さえ部材４６は、シート搬送方向Ｘにおける複数のシートＳの下流側の端部Ｓａと、シート搬送方向Ｘと略平行に延びた複数のシートＳの両側部Ｓｂ，Ｓｃの各々の少なくとも一部とを、シート厚さ方向Ｚに一体に押さえる。
【００３１】
本実施形態では、押さえ部材４６は、ピックアップローラ４４の少なくとも一部（例えば全部）が入る凹部４６ｒを有する。言い換えると、押さえ部材４６は、シート幅方向Ｙにおいて、ピックアップローラ４４の両側に分かれて位置した一対の端部４６ａ，４６ｂを有する。押さえ部材４６の端部４６ａ，４６ｂは、シート幅方向Ｙにおけるピックアップローラ４４の両側の位置で、シート搬送方向Ｘにおける複数のシートＳの下流側の端部Ｓａをシート厚さ方向Ｚに押さえる。
【００３２】
図３に示すように、押さえ部材４６は、後述する押さえ部材駆動機構４７によって、押さえ位置Ｐ１（第１位置、図３中に実線で示す）と、離間位置Ｐ２（第２位置、図３中に二点鎖線で示す）との間で移動される。押さえ位置Ｐ１では、押さえ部材４６は、給紙カセット４１に収容された複数のシートＳのうち最上位のシートＳに上方から接することで、複数のシートＳをシート厚さ方向Ｚに押さえる。押さえ部材４６が押さえ位置Ｐ１にあると、複数のシートＳがシート厚さ方向Ｚに押されて、シートＳのカールが伸ばされる。一方で、離間位置Ｐ２では、押さえ部材４６は、押さえ位置Ｐ１から上方に移動されることで、複数のシートＳから離れる。押さえ部材４６が離間位置Ｐ２にあると、ピックアップローラ４４および給紙ローラ４２は、押さえ部材４６に邪魔されることなく、プリンタ部１４へ向けて給紙カセット４１からシートＳを送ることができる。
【００３３】
図５は、本実施形態の押さえ部材駆動機構４７を示す断面図である。
図５に示すように、押さえ部材駆動機構４７は、支持部材５１、伝達機構５２、および押さえ部材駆動モータ５３（図２参照）を有する。
【００３４】
支持部材５１は、押さえ部材４６の一部に下方から面する掛かり部５１ａを有する。掛かり部５１ａは、押さえ部材４６が押さえ位置Ｐ１にある場合、押さえ部材４６が自重によって複数のシートＳに力をかけることができるように、押さえ部材４６から離れている。一方で、掛かり部５１ａは、押さえ部材４６を押さえ位置Ｐ１から離間位置Ｐ２に移動させる場合に、押さえ部材４６の一部に下方から当接する。
【００３５】
伝達機構５２は、例えば、支持部材５１に設けられたラックと、押さえ部材駆動モータ（以下、単に「駆動モータ」と称する）５３によって回転されるピニオンギアとを含む。伝達機構５２は、駆動モータ５３の回転によって、支持部材５１を上方または下方に移動させる。
【００３６】
駆動モータ５３は、伝達機構５２を介して支持部材５１を下方に移動させることで、押さえ部材４６を押さえ位置Ｐ１に移動させる。一方で、駆動モータ５３は、伝達機構５２を介して支持部材５１を上方に移動させることで、押さえ部材４６を離間位置Ｐ２に移動させる。
【００３７】
ただし、押さえ部材駆動機構４７の構成は、上記例に限定されない。例えば、押さえ部材駆動機構４７は、上記構成に代えて、ボールねじ、リンク機構、偏心カム、またはソレノイドなどによって押さえ部材４６を上方または下方に移動させる駆動機構でもよい。駆動モータ５３またはソレノイドは、押さえ部材４６を移動させる「駆動源」の一例である。
ここで、シートＳの下流側の端部Ｓａが押さえ部材４６によって設定値以上の力（シートＳのカールを除去し得る力）で押さえ込まれる状態を押さえ込み状態と呼び、その押さえ込み状態が解除された状態を解除状態と呼ぶものとする。本実施形態の場合、押さえ部材駆動機構４７は、「押さえ込み状態」と「解除状態」のいずれかの状態に切り換え可能な「切り換え機構」を構成している。押さえ部材駆動機構４７によって押さえ部材４６が押さえ位置Ｐ１に操作された状態は「押さえ込み状態」であり、押さえ部材駆動機構４７によって押さえ部材４６が離間位置Ｐ２に操作された状態は「解除状態」である。なお、上記の「設定値」は、例えば、シートＳのカールを除去し得る最小の値を意味する。
【００３８】
シートセンサ４８（図２参照）は、給紙カセット４１に設けられている。シートセンサ４８は、給紙カセット４１に収容されたシートＳの有無を検出する。例えば、シートセンサ４８は、シートＳをピックアップローラ４４に向けて持ち上げるシートリフト機構の動作量に基づきシートＳが収容されたことを検出する。ただし、シートセンサ４８は、上記例に限らず、光学式のセンサ、またはその他の種類のセンサでもよい。シートセンサ４８は、このシートセンサ４８の検出結果を、制御部１７へ送る。
【００３９】
制御部１７は、給紙カセット４１にシートＳが収容された場合、シートセンサ４８の検出結果に基づき、給紙カセット４１にシートＳが収容されたことを認識する。また、制御部１７は、プリンタ部１４へ向けて給紙カセット４１からシートＳが供給される場合に、押さえ部材４６を離間位置Ｐ２に移動させるように押さえ部材駆動機構４７を制御する。一方で、制御部１７は、プリンタ部１４へ向けて給紙カセット４１からシートＳが供給されない場合に、押さえ部材４６を押さえ位置Ｐ１に移動させるように押さえ部材駆動機構４７を制御する。例えば、制御部１７は、複数の給紙ユニット４０Ａ，４０Ｂ，４０Ｃのなかで、プリンタ部１４へ向けてシートＳが供給される給紙カセット４１に対応する押さえ部材４６を離間位置Ｐ２に移動させるとともに、プリンタ部１４へ向けてシートＳが供給されない給紙カセット４１に対応する押さえ部材４６を押さえ位置Ｐ１に移動させる。
【００４０】
次に、本実施形態の制御部１７の処理流れの一例について説明する。
図６は、制御部１７の処理流れの一例を示すフローチャートである。図６は、印刷に使用される給紙カセット４１が選択された後に、選択された給紙カセット４１に対応する押さえ部材４６が離間位置Ｐ２に移動される例を示す。
【００４１】
本実施形態では、制御部１７は、筐体１１に対して給紙カセット４１が閉じられた場合、その給紙カセット４１に対応する押さえ部材４６を押さえ位置Ｐ１に移動させる。これにより、給紙カセット４１に収容されたシートＳがカールを有する場合、そのカールが伸ばされる。
【００４２】
制御部１７は、画像処理装置１にて印刷が行われる場合、印刷に使用する給紙カセット４１の選択を受け付ける（ＡＣＴ１１）。「使用する給紙カセット」とは、複数の給紙ユニット４０Ａ，４０Ｂ，４０Ｃに含まれる複数の給紙カセット４１のなかで、プリンタ部１４へシートＳを供給する給紙カセット４１を意味する。例えば、制御部１７は、コントロールパネル１６の入力受付部１６ｂを通じて入力された指示、または外部装置（例えばユーザが操作するコンピュータ）からの印刷指示に基づき、複数の給紙カセット４１のなかから使用する給紙カセット４１を選択する。ただし、使用する給紙カセット４１は、デフォルトで設定されていてもよい。
【００４３】
制御部１７は、使用する給紙カセット４１が選択された場合、使用する給紙カセット４１に対応する押さえ部材４６を押さえ位置Ｐ１から離間位置Ｐ２に移動させる（ＡＣＴ１２）。そして、制御部１７は、押さえ部材４６が離間位置Ｐ２に位置した状態で、ピックアップローラ４４および給紙ローラ４２を駆動することで、使用する給紙カセット４１からプリンタ部１４へ向けてシートＳを供給する（ＡＣＴ１３）。これにより、給紙カセット４１から供給されたシートＳは、コントロールパネル１６の入力受付部１６ｂを通じて入力された指示または外部装置からの印刷指示に基づき、プリンタ部１４で印刷が行われる。
【００４４】
一方で、制御部１７は、上記印刷が行われている間、使用されない給紙カセット４１（選択されなかった給紙カセット４１）に対応する押さえ部材４６を、押さえ位置Ｐ１に維持する。これにより、使用されない給紙カセット４１に収容されたシートＳがカールを有する場合、そのカールが伸ばされる。
【００４５】
制御部１７は、コントロールパネル１６の入力受付部１６ｂを通じて入力された指示または外部装置からの印刷指示に基づく印刷が終了すると、使用する給紙カセット４１の選択を解除する（ＡＣＴ１４）。制御部１７は、使用する給紙カセット４１の選択が解除された場合、使用した給紙カセット４１に対応する押さえ部材４６を離間位置Ｐ２から押さえ位置Ｐ１に戻す（ＡＣＴ１５）。これにて、一連の処理が終了する。以降、制御部１７は、コントロールパネル１６の入力受付部１６ｂを通じて入力された次の指示または外部装置からの次の印刷指示に基づき、ＡＣＴ１１〜ＡＣＴ１５の処理を繰り返す。
【００４６】
次に、本実施形態の制御部１７の処理流れの別の一例について説明する。
図７は、制御部１７の処理流れの別の一例を示すフローチャートである。図７は、給紙カセット４１が選択され得る状態になった場合に、選択され得る給紙カセット４１に対応する全ての押さえ部材４６が予め離間位置Ｐ２に移動される例を示す。ここでは、コントロールパネル１６の入力受付部１６ｂを通じて操作指示の入力が行われる例を取り上げる。この場合、操作指示の入力の初期段階では、複数の給紙ユニット４０Ａ，４０Ｂ，４０Ｃに含まれる複数の給紙カセット４１のなかでどの給紙カセット４１が選択されるか不明の時間帯が存在することがある。
【００４７】
ここで、画像処理装置１のいくつかの動作モードについて定義する。例えば、画像処理装置１の動作モードは、「通常モード」、「待機モード」、および「スリープモード」を含む。
【００４８】
「通常モード」は、定着器２３の温度が定着温度に維持されており、表示部１６ａの表示画面Ｄが情報を表示しているモードである。例えば、通常モードは、コントロールパネル１６の入力受付部１６ｂを通じて指示が入力された直後、画像処理装置１で印刷が行われている最中、または印刷が完了した直後などに、維持されるモードである。
【００４９】
「待機モード」は、定着器２３の温度が定着温度に維持されているが、表示部１６ａの表示画面Ｄの電源がＯＦＦになるモードである。例えば、待機モードは、コントロールパネル１６の入力受付部１６ｂに対する操作が予め設定された第１所定時間を超えて行われなかった場合に移行するモードである。待機モードは、「第１省電力モード」と称されてもよい。
【００５０】
「スリープモード」は、定着器２３の温度が定着温度に維持されず、表示部１６ａの表示画面Ｄの電源もＯＦＦになるモードである。例えば、スリープモードは、コントロールパネル１６の入力受付部１６ｂに対する操作および画像処理装置１に対する外部装置からの印刷指示が予め設定された第２所定時間を超えてなかった場合に移行するモードである。スリープモードは、「第２省電力モード」または「休止モード」と称されてもよい。第２所定時間は、第１所定時間よりも長い時間である。
【００５１】
図７に示すように、例えば、制御部１７は、画像処理装置１がスリープモードの状態おいて、コントロールパネル１６の入力受付部１６ｂに対する操作があった場合、画像処理装置１をスリープモードから通常モードに復帰させる（ＡＣＴ２１）。そして、制御部１７は、コントロールパネル１６の入力受付部１６ｂを通じて入力された指示を受け付ける（ＡＣＴ２２）。
【００５２】
本例では、制御部１７は、複数の給紙ユニット４０Ａ，４０Ｂ，４０Ｃに含まれる複数の給紙カセット４１のなかでどの給紙カセット４１が選択されるか不明の場合（すなわち、複数の給紙カセット４１のいずれもが選択され得る状態の場合）、選択され得る複数の給紙カセット４１に対応する全ての押さえ部材４６を押さえ位置Ｐ１から離間位置Ｐ２に移動させる（ＡＣＴ２３）。そして、制御部１７は、印刷に使用する給紙カセット４１の選択を受け付ける（ＡＣＴ２４）。そして、制御部１７は、コントロールパネル１６の入力受付部１６ｂを通じて入力された指示に基づき、複数の給紙カセット４１のなかから使用する給紙カセット４１を選択する。
【００５３】
制御部１７は、使用する給紙カセット４１が選択された場合、使用されない給紙カセット４１（選択されなかった給紙カセット４１）に対応する押さえ部材４６を、離間位置Ｐ２から押さえ位置Ｐ１に戻す（ＡＣＴ２５）。これにより、使用されない給紙カセット４１に収容されたシートＳがカールを有する場合、そのカールが伸ばされる。
【００５４】
そして、制御部１７は、使用する給紙カセット４１に対応する押さえ部材４６が離間位置Ｐ２に位置した状態で、ピックアップローラ４４および給紙ローラ４２を駆動することで、使用する給紙カセット４１からプリンタ部１４へ向けてシートＳを供給する（ＡＣＴ２６）。これにより、給紙カセット４１から供給されたシートＳは、コントロールパネル１６の入力受付部１６ｂを通じて入力された指示に基づき、プリンタ部１４で印刷が行われる。
【００５５】
制御部１７は、コントロールパネル１６の入力受付部１６ｂを通じて入力された指示に基づく印刷が終了すると、使用する給紙カセット４１の選択を解除する（ＡＣＴ２７）。そして、制御部１７は、画像処理装置１に対するコントロールパネル１６の入力受付部１６ｂを通じた次の指示の入力または外部装置からの次の印刷指示が、前記第２所定時間の間にあるか否かを検出する（ＡＣＴ２８）。例えば、制御部１７は、画像処理装置１に対するコントロールパネル１６の入力受付部１６ｂを通じた次の指示の入力が前記第２所定時間内にある場合（ＡＣＴ２８：ＹＥＳ）、ＡＣＴ２２〜ＡＣＴ２７の処理を繰り返す。
【００５６】
一方で、制御部１７は、コントロールパネル１６の入力受付部１６ｂを通じた次の指示の入力または外部装置からの次の印刷指示が前記第２所定時間内にない場合（ＡＣＴ２８：ＮＯ）、画像処理装置１を通常モードからスリープモードに移行させる。本例では、制御部１７は、画像処理装置１がスリープモードに移行する場合、全ての給紙ユニット４０に含まれる全ての押さえ部材４６を押さえ位置Ｐ１に移動させ（ＡＣＴ２９）、画像処理装置１をスリープモードに移行させる（ＡＣＴ３０）。これにより、一連の処理が終了する。以降、制御部１７は、コントロールパネル１６の入力受付部１６ｂを通じて入力された次の指示に基づき、上記ＡＣＴ２１〜ＡＣＴ３０の処理を繰り返す。
【００５７】
ここで、制御部１７は、コントロールパネル１６の入力受付部１６ｂに対して前記第１所定時間を超えて操作が行われなかった場合に、画像処理装置１を待機モードに移行させてもよい。制御部１７は、上記待機モードでは、選択され得る複数の給紙カセット４１に対応する複数の押さえ部材４６を離間位置Ｐ２に維持してもよい。
【００５８】
以上、制御部１７のいくつかの処理流れの例を説明した。ただし、制御部１７の処理流れは、上記例に限られない。例えば、制御部１７は、シートＳが新しく収容された給紙カセット４１がシートセンサ４８によって検出された場合に、その給紙カセット４１を一定期間使わないように、使用する給紙カセット４１の選択対象からその給紙カセット４１を外してもよい。また、制御部１７は、複数の給紙カセット４１に対してシートＳが収容された時系列に基づき、複数の給紙カセット４１に対して優先度をつけて使用する給紙カセット４１を選択してもよい。例えば、制御部１７は、給紙カセット４１にシートＳが収容されてからの経過時間が長い順に、使用する給紙カセット４１に選ぶ優先度を高くしてもよい。
【００５９】
以上のような構成の画像処理装置１によれば、搬送ジャムの抑制を図ることができる。例えば、近年のグローバル化などの影響で、温度または湿度が管理されていない環境で長時間保管されたシートが、画像処理装置１に供給されることがある。また、環境保護の観点で、リユース紙の使用が要望されている。リユース紙は、少なくとも１度、すでに加熱および加圧されている。このため、リユース紙は、比較的大きなカールを有する場合がある。このように、画像処理装置１に対してすでにカールがついた状態のシートＳが供給される可能性が増えている。
【００６０】
そこで、本実施形態の画像処理装置１は、給紙カセット４１に収容された複数のシートＳをシート厚さ方向Ｚに押さえ込む押さえ部材４６を備えている。このような構成によれば、画像処理装置１に収容されたシートＳが使用される前に、押さえ部材４６によってシートＳを平らに伸ばすことで、シートＳのカールを小さくすることができる。ここで、本実施形態では、押さえ部材４６は、複数のシートＳの下流側の端部Ｓａをシート厚さ方向Ｚに押さえる。これにより、シート搬送方向Ｘの先端部となるシートＳの下流側の端部Ｓａのカールを小さくすることで、搬送路を形成する部品にシートＳが引っ掛かりにくくなる。これにより、搬送ジャムの抑制を効果的に図ることができる。また、押さえ部材４６によって複数のシートＳの下流側の端部Ｓａをシート厚さ方向Ｚに押さえることで、すでにカールがついているリユース紙が収容された場合でも、そのリユース紙のカールを効果的に小さくすることができる。
【００６１】
本実施形態では、押さえ部材４６は、シート搬送方向Ｘにおける複数のシートＳの下流側の端部Ｓａに加え、シート搬送方向Ｘと略平行な複数のシートＳの両側部Ｓｂ，Ｓｃの各々の少なくとも一部を、シート厚さ方向Ｚに押さえる。このような構成によれば、シートＳの両側部Ｓｂ，Ｓｃのカールも小さくすることができるので、搬送路を形成する部品にシートＳが引っ掛かりにくくなる。これにより、搬送ジャムのさらなる抑制を図ることができる。
【００６２】
本実施形態では、押さえ部材４６は、ピックアップローラ４４の少なくとも一部よりもシート搬送方向Ｘの下流側に位置した部分（例えば端部４６ａ，４６ｂ）を含む。このような構成によれば、シート搬送方向Ｘの先端部となるシートＳの端部Ｓａのカールをさらに効果的に小さくすることができる。これにより、搬送ジャムのさらなる抑制を図ることができる。
【００６３】
本実施形態では、制御部１７は、定着器２３の温度が定着温度に維持されない省電力モード（例えばスリープモード）に画像処理装置１が移行する場合に、押さえ部材４６を押さえ位置Ｐ１に移動させる。このような構成によれば、画像処理装置１が省電力モードにある間に、シートＳのカールを小さくすることができる。
【００６４】
本実施形態では、押さえ部材４６は、定着器２３によって消色されたシートＳが給紙カセット４１に収容される場合に、消色されたシートＳをシート厚さ方向Ｚに押さえる。これにより、すでに比較的大きなカールがついている可能性があるリユース紙のカールを、シートＳが使用される前に小さくすることができる。これにより、搬送ジャムのさらなる抑制を図ることができる。
【００６５】
以上、実施形態の画像処理装置１の一例について説明した。ただし、実施形態の構成は、上記例に限られない。以下、上記実施形態の変形例を説明する。なお、変形例において、以下に説明する以外の構成は、上記実施形態と略同じである。
【００６６】
（第１変形例）
図８は、第１変形例の画像処理装置１の給紙ユニット４０を示す断面図である。
図８に示すように、本変形例の押さえ部材４６は、押し当て板６１と、押し当てばね６２とを有する。押し当て板６１は、平面視において、上記実施形態の押さえ部材４６と略同じ形状を有する。ただし、押し当て板６１は、上記実施形態の押さえ部材４６に比べて薄くて軽い。
【００６７】
押し当てばね６２は、押し当て板６１を複数のシートＳに向けて付勢している。このため、押さえ部材駆動機構４７が押し当て板６１に力を作用させない場合、押し当て板６１は、押し当てばね６２の付勢力によって押さえ位置Ｐ１に位置する。これにより、押し当て板６１は、複数のシートＳをシート厚さ方向Ｚに押さえる。一方で、押さえ部材駆動機構４７は、押し当てばね６２の付勢力に抗して押し当て板６１に力を作用させることで、押し当て板６１を押さえ位置Ｐ１から離間位置Ｐ２に移動させる。これにより、ピックアップローラ４４および給紙ローラ４２は、押し当て板６１に邪魔されずに、シートＳを送ることができる。
【００６８】
（第２変形例）
図９は、第２変形例の画像処理装置１の押さえ部材４６を示す平面図である。
図９に示すように、本変形例の押さえ部材４６は、シート搬送方向ＸにおけるシートＳの下流側の端部Ｓａと、シートＳの両側部Ｓｂ，Ｓｃに沿うＵ字状に形成されている。例えば、押さえ部材４６は、シート搬送方向Ｘにおいて、シートＳの両側部Ｓｂ，Ｓｃの全長に亘ってシートＳを押さえる。このような構成によれば、シートＳの両側部Ｓｂ，Ｓｃのカールをさらに小さくすることができる。なお、本変形例は、上記実施形態の押さえ部材４６に代えて、上記第１変形例の押し当て板６１に適用されてもよい。
【００６９】
（第３変形例）
図１０は、第３変形例の画像処理装置１の押さえ部材４６を示す平面図である。
図１０に示すように、本変形例の押さえ部材４６は、シート搬送方向ＸにおけるシートＳの下流側の端部Ｓａと、シート搬送方向におけるシートＳの上流側の端部Ｓｄと、シートＳの両側部Ｓｂ，Ｓｃに沿う枠状に形成されている。このような構成によれば、シートＳの上流側の端部Ｓｄのカールを小さくすることができる。シートＳの上流側の端部Ｓｄのカールを小さくすることができると、シートＳの両面印刷時にシートＳの搬送方向が逆転する場合であっても、搬送路を形成する部品にシートＳが引っ掛かりにくくすることができる。
【００７０】
（第２実施形態）
図１１は、第２実施形態の画像処理装置の給紙ユニット１４０を示す断面図である。本実施形態の画像処理装置は、給紙ユニット１４０の構成以外は第１実施形態とほぼ同様とされている。
第１実施形態の画像処理装置１では、押さえ部材駆動機構４７を制御して、押さえ部材４６を離間位置Ｐ２と押さえ位置Ｐ１のいずれかの位置に切り換えるようにしているが、本実施形態においては、押さえ部材４６による押圧荷重を大小二段階に切り換える構成とされている。
【００７１】
第２実施形態の画像処理装置は、シートＳの下流側の端部Ｓａが押さえ部材４６によって設定値以上の力で押さえ込まれる「押え込み状態」と、「押え込み状態」が解除された「解除状態」のいずれかの状態に切り換え可能とされている。「押え込み状態」と「解除状態」には、後述する切り換え機構７０によって切り換え可能とされている。切り換え機構７０は、制御部１７によって制御される。本実施形態の場合、「押え込み状態」では、シートＳのカールを除去できる比較的強い押圧荷重でシートＳの下流側の端部Ｓａが押さえ込まれ、「解除状態」では、ピックアップローラ４４によるシートＳの送りを許容し得る比較的弱い押圧力でシートＳの下流側の端部Ｓａが押さえ込まれる。
【００７２】
図１１に示すように、給紙ユニット１４０は、給紙カセット４１、押さえ部材４６、給紙ローラ４２、分離ローラ４３、ピックアップローラ４４、ピックアップローラ駆動機構４５、シート支持部材７１、および押し上げ機構７２を有する。
【００７３】
給紙カセット４１は、第１実施形態と同様に、底壁４１ａと側壁４１ｂを有するとともに、上方が開放された凹状に形成されている。給紙カセット４１は、複数のシートＳを収容する収容部を構成している。給紙カセット４１には、例えば、リユース紙が収容される。
【００７４】
押さえ部材４６は、第１実施形態と同様に、シートＳの上面に沿う板状に形成され、シート搬送方向Ｘにおいて複数のシートＳの下流側の略半分を覆う大きさを有する。押さえ部材４６は、シート幅方向Ｙにおいて複数のシートＳの両側部（両端部）に亘る幅を持つ。押さえ部材４６は、第１実施形態と同様に、ピックアップローラ４４の少なくとも一部（例えば全部）が入る凹部４６ｒを有する（図４参照）。凹部４６ｒは、平面視でシート搬送方向Ｘの下流側に開口している。押さえ部材４６の端部４６ａ，４６ｂは、シート幅方向Ｙにおけるピックアップローラ４４の両側の位置で、シート搬送方向Ｘにおける複数のシートＳの下流側の端部Ｓａをシート厚さ方向Ｚに押さえる。
本実施形態の押さえ部材４６は、押さえ部材駆動機構によって駆動可能とされておらず、画像処理装置の筐体１１側に固定設置されている。ただし、押さえ部材駆動機構を設け、必要に応じて押さえ部材４６を退避位置に移動できるようにしても良い。また、給紙ローラ４２、分離ローラ４３、ピックアップローラ４４、およびピックアップローラ駆動機構４５は、第１実施形態と同様の構成とされている。
【００７５】
シート支持部材７１は、シート搬送方向Ｘにおいて複数のシートＳの下流側の略半分の領域を下方から支持し得るように形成されている。シート支持部材７１は、平面視が略矩形状の板状部材によって構成されている。シート支持部材７１の上面には、複数のシートＳのシート搬送方向Ｘの下流側の略半分の領域が載置される。シート支持部材７１は、押し上げ機構７２を介して給紙カセット４１の内部に昇降可能に配置されている。
【００７６】
押し上げ機構７２は、例えば、付勢スプリング７３と、昇降操作ロッド７４と、ロッド駆動モータ７５と、位置検出センサ７６と、を備えている。
【００７７】
付勢スプリング７３は、給紙カセット４１の底壁４１ａとシート支持部材７１の間に介装され、シート支持部材７１を上方に（押し上げ方向に）付勢している。
【００７８】
昇降操作ロッド７４は、一端側がシート支持部材７１に上下方向の微少な遊びをもって連結されるとともに、他端側が連動機構を介してロッド駆動モータ７５に連係されている。昇降操作ロッド７４は、シート支持部材７１の昇降高さを調整可能とされている。昇降操作ロッド７４の一端部には、例えば、当接フランジ７４ａが一体に設けられている。当接フランジ７４ａは、シート支持部材７１に設けられた遊び空間７７内に位置され、遊び空間７７の範囲で上下に相対変位可能とされている。当接フランジ７４ａは、遊び空間７７の上壁７７ａに当接可能とされている。
ロッド駆動モータ７５は、制御部１７によって制御され、連動機構を介して昇降操作ロッド７４を上下方向に操作する。
【００７９】
位置検出センサ７６は、昇降操作ロッド７４の近傍部に配置され、昇降操作ロッド７４の高さ位置（シート支持部材７１の昇降高さ位置）を検出する。位置検出センサ７６で検出された信号は制御部１７に出力される。
【００８０】
制御部１７は、位置検出センサ７６の検出信号に基づいてロッド駆動モータ７５を制御する。給紙カセット４１からプリンタ部にシートＳが供給されるときには、制御部１７は、位置検出センサ７６の検出信号（シート支持部材７１の高さ位置）とシートＳの使用枚数等に応じて、シート支持部材７１を上昇させるようにロッド駆動モータ７５を駆動する。
【００８１】
給紙カセット４１からプリンタ部にシートＳが供給されるときには、シート支持部材７１は複数のシートＳの下流側領域を上方に押し上げ、その複数のシートＳの最上位のシートＳを押さえ部材４６の下面とピックアップローラ４４に設定値よりも小さい押圧力で押し付ける。複数のシートＳは、付勢スプリング７３の付勢力により、シート支持部材７１を通して押さえ部材４６の下面とピックアップローラ４４に押し付けられる。このとき、筐体１１に固定設置されている押さえ部材４６は、ピックアップローラ４４によるシートＳの送りを許容し得る比較的弱い押圧力でシートＳの下流側の端部Ｓａを押さえ込むことになる（解除状態）。これにより、給紙カセット４１から送り出されるシートＳは、押さえ部材４６の下面によって安定姿勢を保持するようにガイドされる。
【００８２】
一方、給紙カセット４１からプリンタ部にシートＳが供給されないときには、昇降操作ロッド７４の当接フランジ７４ａがシート支持部材７１の遊び空間７７の上壁７７ａに押し付けられるように昇降操作ロッド７４の高さ位置が調整される。これにより、複数のシートＳは、シート支持部材７１を通して押さえ部材４６の下面とピックアップローラ４４に押し付けられる。このとき、筐体１１に固定設置されている押さえ部材４６は、シートＳのカールを除去し得る強い押圧力でシートＳの下流側の端部Ｓａを上方側から押さえ込むことになる（押さえ込み状態）。
【００８３】
以上のように、本実施形態の画像処理装置は、第１実施形態と同様に、複数のシートＳの下流側の端部を、シート厚さ方向Ｚに押さえ込む押さえ部材４６を備えている。また、本実施形態の画像処理装置は、押さえ部材４６による押圧荷重を大小二段階に切り換え、プリンタ部へ向けてシートＳが供給されるときには、押さえ部材４６による押圧荷重を弱めて、ピックアップローラ４４によるシートＳの送りを可能にする。また、プリンタ部へ向けてシートＳが供給されないときには、押さえ部材４６による押圧荷重を強めてシートＳのカールを確実に除去する。
したがって、本実施形態の画像処理装置は、シート供給を行わないときに、押さえ部材４６によってシートＳのカールを除去することができるとともに、シート供給時には、押さえ部材４６によってシートＳを安定姿勢で案内することができる。よって、本実施形態の画像処理装置は、搬送ジャムの抑制を効果的に図ることができる。
【００８４】
また、本実施形態の画像処理装置は、複数のシートＳの下流側の領域が載置されるシート支持部材７１と、シート支持部材７１を上方に押し上げ可能な押し上げ機構７２と、を備えている。そして、押し上げ機構７２によるシート支持部材７１の押し上げにより、最上部のシートＳが押さえ部材４６に当接可能とされるとともに、押し上げ機構７２の押し上げ荷重の操作によって複数のシートＳに対する押さえ込み荷重を調整可能とされている。
本実施形態の画像処理装置の場合、複数のシートＳに対する押さえ込み荷重を調整するための機構が給紙ユニット１４０の底部側（シートＳの下方側）に配置されるため、シートＳの上方側に配置される押さえ部材４６側の構造を簡素化することができる。
【００８５】
ここでは、押さえ部材４６による押圧荷重を大小二段階に切り換える構成がシートＳの下方側の押し上げ機構７２に設けられる例について説明した。しかし、押圧荷重を大小二段階に切り換える構成は、シートＳの上方側の押さえ部材４６側に設けるようにしても良い。
【００８６】
（第４変形例）
図１２は、第４変形例の画像処理装置の押さえ部材１４６を示す平面図である。図１３は、第４変形例の画像処理装置の給紙ユニット１４０を示す断面図である。
図１２に示すように、本変形例の押さえ部材１４６は、平面視が略矩形状の板部材によって形成されている。押さえ部材１４６は、シートＳのシート搬送方向Ｘの下流側の略半分の領域を上方から覆い得る大きさに形成されている。押さえ部材１４６は、シート搬送方向ＸにおけるシートＳの下流側の端部Ｓａと両側部Ｓｂ，Ｓｃを覆う。ただし、本変形例の押さえ部材１４６の場合、ピックアップローラ４４を配置するための凹部は備えていない。
【００８７】
一方、本変形例の押さえ部材１４６は、図１３に示すように、複数のリンク８０を介して画像処理装置の筐体１１に支持されている。押さえ部材１４６は、複数のリンク８０により、複数のシートＳの上面を押さえ込む押さえ位置と、押さえ位置からシート搬送方向Ｘの上流側上方に離間した離間位置との間で移動可能とされている。複数のリンク８０は、図示しない駆動装置によって駆動操作される。
【００８８】
本変形例の場合、給紙カセット４１からプリンタ部にシートＳが供給されるときには、リンク８０によって押さえ部材１４６を離間位置に移動させ、押し上げ機構７２によってシートＳの上面をピックアップローラ４４にのみ当接させる。このため、給紙カセット４１からプリンタ部にシートＳが供給されるときには、押さえ部材１４６が給紙カセット４１からのシートＳの搬送の支障となりにくい。
【００８９】
給紙カセット４１からプリンタ部にシートＳが供給されないときには、ピックアップローラ４４がピックアップローラ駆動機構４５によって上方に退避操作され、その状態において、押さえ部材１４６がリンク８０によって押さえ位置まで移動操作される。また、このとき、押し上げ機構７２によってシート支持部材７１が操作され、押さえ部材４６による押圧荷重を強めてシートＳのカールを確実に除去する。
本変形例の場合は、凹部のない押さえ部材１４６によってシートＳのシート搬送方向Ｘの下流側領域のほぼ全域を上方から押さえ付け、シートＳのカールを安定して除去することができる。
【００９０】
以上説明した少なくともひとつの実施形態によれば、画像処理装置は、少なくともシート搬送方向における複数のシートの下流側の端部をシート厚さ方向に押さえる押さえ部材を持つことにより、搬送ジャムの抑制を図ることができる。
【００９１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９２】
１…画像処理装置、１３…給紙部、１７…制御部、２３…定着器、４１…給紙カセット（収容部）、４４…ピックアップローラ、４６，１４６…押さえ部材、４７…押さえ部材駆動機構（切り換え機構）、７０…切り換え機構、７１…シート支持部材、７２…押し上げ機構、Ｘ…シート搬送方向、Ｙ…シート幅方向、Ｚ…シート幅方向、Ｓ…シート、Ｓａ…シートの下流側の端部、Ｓｂ，Ｓｃ…シートの側部。
【図１】
2018123001.tif 000003
【図２】
2018123001.tif 000004
【図３】
2018123001.tif 000005
【図４】
2018123001.tif 000006
【図５】
2018123001.tif 000007
【図６】
2018123001.tif 000008
【図７】
2018123001.tif 000009
【図８】
2018123001.tif 000010
【図９】
2018123001.tif 000011
【図１０】
2018123001.tif 000012
【図１１】
2018123001.tif 000013
【図１２】
2018123001.tif 000014
【図１３】
2018123001.tif 000015